(57)【要約】 【課題】  工事の簡略化、工期の短縮化を図るとともに、設備費、ランニングコストを低減させる。【解決手段】  給水口５から流入する水の流れに応じて熱交換器４を作動させ、所定の温度の温水を作り出して給湯口６から給湯する給湯器２と、暖房対象箇所３０に設置される温水暖房回路２５と、給湯器２と温水暖房回路２５との間に設けられる温水循環ユニット７とを備える。暖房対象箇所３０の温度をセンサー２２により検出し、このセンサー２２からの信号に応じて給湯器２を作動させることにより、温水暖房回路２５を介して暖房対象箇所３０の温水暖房回路２５に温水が供給され、暖房対象箇所３０が暖房される。既設の給湯器２を利用することができるので、工事の簡略化、工期の短縮化を図ることができるとともに、設備費、ランニングコストを低減させることができる。【選択図】        図１
2006292309.tif 000002
【特許請求の範囲】
【請求項１】
給水口から流入する水の流れに応じて熱交換器を作動させ、所定の温度の温水を作り出して給湯口から給湯する給湯器と、暖房対象箇所に設置されるとともに、前記給湯器の給水口と給湯口との間に配管を介して接続される温水暖房回路とを備えてなることを特徴とする温水暖房装置。
【請求項２】
前記暖房対象箇所の温度をセンサーにより検出し、このセンサーからの信号に応じて前記給湯器を作動させるように構成したことを特徴とする請求項１に記載の温水暖房装置。
【請求項３】
前記給湯器と前記温水暖房回路との間には温水循環ユニットが設けられ、この温水循環ユニットを介して前記給湯器と前記温水暖房回路との間で温水を循環させるように構成したことを特徴とする請求項１又は２に記載の温水暖房装置。
【請求項４】
前記温水循環ユニットは、前記給湯口に接続される流入口と該流入口に連通する複数の流出口とを有する第１ヘッダーと、該第１ヘッダーの各流出口にそれぞれ接続されて各流出口を開閉する開閉弁と、前記給水口に接続される流出口と該流出口に連通する複数の流入口とを有する第２ヘッダーと、該第２ヘッダーの流出口と前記給水口との間に設けられる循環ポンプと、前記センサーからの信号に応じて前記各開閉弁及び前記循環ポンプの作動を制御する電気回路コントローラとを備えていることを特徴とする請求項３に記載の温水暖房装置。
【発明の詳細な説明】
【技術分野】
【０００１】
本発明は、温水暖房装置に関し、特に、一般家庭等で使用されている瞬間式給湯器等の簡易な給湯器を給湯源とした温水暖房装置に関する。
【背景技術】
【０００２】
一般的な温水暖房装置の一例として、図２に示すように、ガス、石油等を熱源として熱源と冷水との間で熱交換を行うことにより所定の温度の温水を作り出す熱交換器３４と、熱交換器３４で作り出した温水を暖房対象箇所３０に供給し、暖房対象箇所３０を循環させて熱交換器３４に還す温水循環経路３５と、温水循環経路３５内を流通する温水の流量を制御する流量制御弁３６と、温水循環経路３５の途中に設けられる循環ポンプ４０と、暖房対象箇所３０の温度を検出する室温センサー３９と、室温センサー３９からの信号に応じて流量制御弁３６の開閉動作を制御する流量制御弁コントローラ３８と、ポンプ電源スイッチ３７とを備えたものが知られている。
【０００３】
このような構成の温水暖房装置３１にあっては、室温センサー３９によって暖房対象箇所３０の温度を検出し、この検出した温度に応じて流量制御弁３６の開閉動作を制御することにより、温水循環経路３５内を流通する温水の量を制御し、暖房対象箇所３０を所定の温度に設定している。
【発明の開示】
【発明が解決しようとする課題】
【０００４】
しかし、上記のような構成の温水暖房装置３１にあっては、温水循環経路３５内を流通する温水の流量によって暖房対象箇所３０の温度を制御しているため、暖房対象箇所３０を所定の温度に設定するためには過大な容量の熱交換器３４が必要になり、設備費が高くついてしまう。また、温水循環経路３５内に温水を常時流通させているため、必要以上の温水が温水循環経路３５内を循環することになり、ランニングコストが高くついてしまう。
【０００５】
本発明は、上記のような従来の問題に鑑みなされたものであって、一般家庭等で使用されている瞬間式給湯器等の簡易な給湯器を給湯源として利用することにより、工事の簡略化、工期の短縮化を図るとともに、設備費及びランニングコストを安く抑えることができる温水暖房装置を提供することを目的とする。
【課題を解決するための手段】
【０００６】
上記のような課題を解決するために、本発明は、以下のような手段を採用している。
すなわち、請求項１に係る発明は、給水口から流入する水の流れに応じて熱交換器を作動させ、所定の温度の温水を作り出して給湯口から給湯する給湯器と、暖房対象箇所に設置されるとともに、前記給湯器の給水口と給湯口との間に配管を介して接続される温水暖房回路とを備えてなることを特徴とする。
【０００７】
本発明による温水暖房装置によれば、暖房対象箇所に設置される温水暖房回路の給湯源として、一般家庭用等として使用されている瞬間給湯器等の簡易な給湯器を利用することができるので、工事の簡素化、工期の短縮化を図ることができるとともに、設備費及びランニングコストを安く抑えることができる。
【０００８】
また、請求項２に係る発明は、請求項１に記載の温水暖房装置であって、前記暖房対象箇所の温度をセンサーにより検出し、このセンサーからの信号に応じて前記給湯器を作動させるように構成したことを特徴とする。
【０００９】
本発明による温水暖房装置によれば、暖房対象箇所の温度をセンサーにより検出し、このセンサーからの信号に応じて給湯器が作動し、給湯器から所定の温度の温水が暖房対象箇所の温水暖房回路に供給され、温水暖房回路を循環した後に給湯器に戻されることになる。
【００１０】
さらに、請求項３に係る発明は、請求項１又は２に記載の温水暖房装置であって、前記給湯器と前記温水暖房回路との間には温水循環ユニットが設けられ、この温水循環ユニットを介して前記給湯器と前記温水暖房回路との間で温水を循環させるように構成したことを特徴とする。
【００１１】
本発明による温水暖房装置によれば、暖房対象箇所の温度をセンサーにより検出し、センサーからの信号に応じて温水循環ユニットを介して給湯器が作動し、給湯器から所定の温度の温水が暖房対象箇所の温水暖房回路に供給され、温水暖房回路を循環した後に給湯器に戻されることになる。
【００１２】
さらに、請求項４に係る発明は、請求項３に記載の温水暖房装置であって、前記温水循環ユニットは、前記給湯口に接続される流入口と該流入口に連通する複数の流出口とを有する第１ヘッダーと、該第１ヘッダーの各流出口にそれぞれ接続されて各流出口を開閉する開閉弁と、前記給水口に接続される流出口と該流出口に連通する複数の流入口とを有する第２ヘッダーと、該第２ヘッダーの流出口と前記給水口との間に設けられる循環ポンプと、前記センサーからの信号に応じて前記各開閉弁及び前記循環ポンプの作動を制御する電気回路コントローラとを備えていることを特徴とする。
【００１３】
本発明による温水暖房装置によれば、暖房対象箇所の温度をセンサーにより検出し、このセンサーの検出信号に応じて、温水循環ユニットの電気回路コントローラを介して各開閉弁の開放又は閉鎖が制御され、及び循環ポンプの作動が制御される。この場合、複数の開閉弁のうちの一つでも開放状態にある場合には循環ポンプが作動し、給湯器から第１ヘッダー、開放状態にある開閉弁、及び配管を介して温水が流動して暖房対象箇所の温水暖房回路に温水が供給され、温水暖房回路を循環して、第２ヘッダーを介して給湯器に戻される。また、複数の開閉弁の全てが閉鎖状態にある場合には温水の流動が停止して循環ポンプも停止し、給湯器からの温水の供給は停止される。
【発明の効果】
【００１４】
以上、説明したように、本発明の温水暖房装置によれば、一般家庭等で使用している瞬間式給湯器等の給湯器を給湯源として使用することができるので、工事の簡略化、工期の短縮化を図ることができるとともに、設備費を安く抑えることができる。また、複数の暖房対象箇所の温水暖房回路に対して温水を循環させる場合に、それぞれの温水暖房回路に対して必要に応じて温水を供給又は停止することができるので、必要以上に温水を使用することはなく、過大な容量の給湯器を必要とすることはなく、ランニングコストを大幅に低減させることができる。
【発明を実施するための最良の形態】
【００１５】
以下、本発明の実施形態について図面を参照しつつ詳細に説明する。
図１には、本発明による温水暖房装置の一実施の形態が示されていて、この温水暖房装置１は、木造、鉄筋コンクリート造等の戸建の住宅、集合住宅等の複数の暖房対象箇所３０（部屋等）を個別に暖房するのに有効なものであって、所定の温度の温水を作り出す給湯器２と、各暖房対象箇所３０に設置される温水暖房回路２５と、給湯器２と温水暖房回路２５との間に設けられ、給湯器２と温水暖房回路２５との間で温水を循環させる温水循環ユニット７とを備えている。
【００１６】
給湯器２は、ガス、石油、電気等を熱源とする熱交換器４を有するものであって、給水口５から熱交換器４に水（冷水又は温水）を導き、熱交換器４で水と熱源との間で熱交換を行うことにより所定の温度の温水を作り出し、この温水を熱交換器４から給湯口６に導き、給湯口６から給湯する。給湯口６から給湯される温水は、熱源のガス、石油等の燃焼量等を調整することにより所定の温度に設定される。
【００１７】
給湯器２としては、一般家庭等で使用されている瞬間式給湯器、貯湯式給湯器等の給湯器を使用することができる。但し、これに限らず、同様の性能を有するものであればよい。要は、給水口５から流入する水の流れ、又は給湯口６から流出する温水の流れを検知することにより、熱交換器４が作動するタイプのものであればよい。
【００１８】
温水暖房回路２５は、複数の暖房対象箇所３０の各々に設置されるものであって、この実施の形態においては、各暖房対象箇所３０の床の内部に、銅、ポリエチレン、ポリブデン等からなる温水配管２６を敷設して構成している。この温水暖房回路２５に後述する温水循環ユニット７を介して給湯器２から温水を供給することにより、各暖房対象箇所３０が暖房される。なお、温水配管２６は、床に限らず、壁等に設置してもよい。また、温水配管２６の代わりに、パネルヒータ等の周知の温水暖房回路を設置してもよい。
【００１９】
温水循環ユニット７は、給湯器２と温水暖房回路２５との間に設けられるものであって、給湯器２の給湯口６に配管８を介して接続される第１ヘッダー９と、第１ヘッダー９に接続される複数の開閉弁１２と、給湯器２の給水口５に配管１４を介して接続される第２ヘッダー１５と、第２ヘッダー１５と給湯器２の給水口５との間の配管１４の途中に設けられる循環ポンプ２０と、各開閉弁１２及び循環ポンプ２０を制御する電気回路コントローラ２１とを備えている。なお、図中４５は、循環ポンプ２０及び開閉弁１２を電気回路コントローラ２１に接続する電気回路である。
【００２０】
第１ヘッダー９は、主流路（図示せず）と、主流路の長手方向の一端に連通する流入口である第１ポート１０と、主流路の側面に連通する流出口である複数の第２ポート１１とを有し、第１ポート１０が配管８を介して給湯器２の給湯口６に接続され、各第２ポート１１にそれぞれ開閉弁１２が接続され、各開閉弁１２の作動により各第２ポート１１が開閉される。開閉弁１２としては、各第２ポート１１を開閉できるタイプのものであれば特に制限はなく、例えば電磁式の開閉弁等が挙げられる。
【００２１】
第１ヘッダー９の第１ポート１０と給湯器２の給湯口６との間を接続する配管８の途中には、三方向切換弁１３が設けられ、この三方向切換弁１３によって給湯器３からの給湯が温水暖房回路２５の方向、又は既設の給湯系統２８の方向に切り換えられる。
【００２２】
第２ヘッダー１５は、第１ヘッダー９と同様に、主流路（図示せず）と、主流路の長手方向の一端に連通する流出口である第１ポート１６と、主流路の側面に連通する流入口である複数の第２ポート１７とを有し、第１ポート１６が配管１４を介して給湯器２の給水口５に接続されている。
【００２３】
第２ヘッダー１５の第１ポート１６と給湯器２の給水口５との間を接続する配管１４の途中には循環ポンプ２０が設けられ、この循環ポンプ２０の作動により、給湯器２と各暖房対象箇所３０の各温水暖房回路２５との間で配管８、２７、１４を介して温水が循環される。給水口５に接続される配管１４の途中には開閉弁２３を介して給水系統２９が接続され、必要に応じて給水系統２９から開閉弁２３を介して給湯器２に水道水等の水（冷水）が供給される。
【００２４】
電気回路コントローラ２１は、各暖房対象箇所３０に設置される温度センサー等のセンサー２２からの信号に応じて、各開閉弁１２及び循環ポンプ２０の作動を制御し、この電気回路コントローラ２１により各開閉弁１２及び循環ポンプ２０の作動を制御することにより、各暖房対象箇所３０の各温水暖房回路２５に温水が供給又は停止される。
【００２５】
この場合、複数の開閉弁１２の全てが閉鎖状態にある場合には、電気回路コントローラ２１により循環ポンプ２０は停止するように制御され、複数の開閉弁１２のうちの一つだけでも開放状態にある場合には、循環ポンプ２０は作動するように制御される。
【００２６】
第２ヘッダー１５の主流路（図示せず）の他端には、配管１４を介して膨張タンク１８及び空気抜き弁１９が設けられ、配管８、２７、１４内の圧力が上昇した場合に、その圧力の上昇を膨張タンク１８に逃がすことにより各部が破損等するのを防止する。また、配管８、２７、１４内に空気が混入した場合に、その空気を空気抜き弁１９を介して外部に放出させることにより、空気によって温水の流れが阻害されるのを防止する。
【００２７】
そして、上記のように構成した本実施の形態による温水暖房装置１を作動させると、各暖房対象箇所３０の温度をセンサー２２が検出し、各センサー２２から検出信号が電気回路コントローラ２１に送られ、その信号に応じて電気回路コントローラ２１により各開閉弁１２の開閉及び循環ポンプ２０の作動が制御される。
【００２８】
すなわち、複数の開閉弁１２のうちの何れか一つの開閉弁１２が開放されると、それに応じて循環ポンプ２０が作動し、給湯器２→第１ヘッダー９→開閉弁１２→温水暖房回路２５→第２ヘッダー１５→循環ポンプ２０→給湯器２の順に温水が循環し、暖房対象箇所３０が暖房される。この場合、閉鎖状態にある開閉弁１２には温水が流れないので、その開閉弁１２に対応する暖房対象箇所３０の温水暖房回路に温水が供給されるようなことはない。従って、複数の暖房対象箇所３０の全ての温水暖房回路に温水が供給されるようなことはなく、必要とされる各暖房対象箇所３０の温水暖房回路にのみ温水を供給することができる。
【００２９】
上記のように構成した本実施の形態による温水暖房システム１にあっては、一般家庭において使用されている市販の各種の瞬間給湯器等の給湯器２を給湯源として使用することができるので、工事の簡略化、工期の短縮化を図ることができるとともに、設備費を大幅に安く抑えることができる。また、複数の暖房対象箇所３０の温水暖房回路２５の全てに常時温水を流したままの状態とする必要はなく、暖房の必要性のある暖房対象箇所３０の温水暖房回路２５のみに温水を流すことができるので、必要以上に温水を使用するようなことはなく、ランニングコストを大幅に低減させることができる。
【図面の簡単な説明】
【００３０】
【図１】本発明による温水暖房装置の一実施の形態を示した説明図である。
【図２】従来の温水暖房装置の一例を示した説明図である。
【符号の説明】
【００３１】
１、３１  温水暖房装置                ２  給湯器
４、３４  熱交換器                    ５  給水口
６  給湯口                            ７  温水循環ユニット
８、１４、２７  配管                  ９  第１ヘッダー
１０  第１ポート（流入口）            １１  第２ポート（流出口）
１２  開閉弁                          １３  三方向切換弁
１５  第２ヘッダー                    １６  第１ポート（流出口）
１７  第２ポート（流入口）            １８  膨張タンク
１９  空気抜き弁                      ２０、４０  循環ポンプ
２１  電気回路コントローラ            ２２、３７  センサー
２５  温水暖房回路                    ２６  温水配管
２８  給湯系統                        ２９  給水系統
３０  暖房対象箇所                    ３５  温水循環経路
３６  流量制御弁                      ３７  ポンプ電源スイッチ
３８  流量制御弁コントローラ          ３９  室温センサー
４５  電気回路
【図１】
2006292309.tif 000003
【図２】
2006292309.tif 000004